(57)【要約】【課題】手軽に携帯でき、不特定多数の人に奇異に見られることなく使用でき、禁煙の精神的苦痛を緩和する使い捨て酸素吸入器を提供する。【解決手段】吸入器本体１は紙巻たばこと略同一の大きさと外観を有する管部２を有し、管部２の基端部の開口部３は気体吐出口４に形成する。気体供給部５の内部にボンベ式の貯蔵部６を設け高濃度酸素含有空気７を高圧状態で充填する。貯蔵部６には先端面に気体噴出口９を開口形成したノズル８を進退可能に設け、ノズル８の先端部に嵌合したキャップ１０は気体噴出口９に連通する噴出孔１１を有する。気体吐出口４を口にくわえて管部２の外部からキャップ１０を押圧すると吸入器本体１の使用者の口内に高濃度酸素含有空気７が噴出する。吸入器本体１の形状と使用態様が使用者に疑似的喫煙感覚をもたらし禁煙の精神的苦痛を緩和する。【選択図】  図１
2004357749.tif 000002
【特許請求の範囲】
【請求項１】
吸入器本体は、少なくとも基端部に開口部を形成しこの基端部の開口部を略円形の気体吐出口に形成する略円筒形の管部と、この管部の内部に設けられた気体供給部と、前記管部の内部において前記気体吐出口と前記気体供給部とを連通する気体導通部と
を有し、
前記吸入器本体は、紙巻たばこ、または葉巻、または喫煙パイプのいずれかと略等しい大きさに形成する
ことを特徴とする携帯式使い捨て酸素吸入器。
【請求項２】
気体供給部は、大気中の空気よりも酸素濃度の高い高濃度酸素含有空気を充填するボンベ式の貯蔵部を有する
ことを特徴とする請求項１記載の携帯式使い捨て酸素吸入器。
【請求項３】
気体供給部は、袋状の貯蔵部を有するとともにこの貯蔵部の内部に隔壁を設けこの隔壁によって水密かつ気密に離隔した前記貯蔵部の内部を複数の充填室に形成し、この充填室には相互に接触することによって化学反応を起こして酸素を発生する複数のガス発生手段をそれぞれ充填する
ことを特徴とする請求項１記載の携帯式使い捨て酸素吸入器。
【請求項４】
充填室を二つ形成し、この二つの充填室にそれぞれ充填するガス発生手段は、二酸化マンガンと過酸化水素水とによってそれぞれ形成することを特徴とする請求項３記載の携帯式使い捨て酸素吸入器。
【請求項５】
吸入器本体は、
紙巻たばこと略等しいの大きさの略円筒形であって紙巻たばこと略等しい外観を呈し、
または、葉巻と略等しい大きさの略葉巻形であって葉巻と略等しい外観を呈し、
または、喫煙パイプと略等しい大きさであって前記管部の先端部に略円筒形の把持部を軸方向を前記管部の軸方向と直交させて設けた喫煙パイプと略等しい外観を呈する
ことを特徴とする請求項１ないし４のいずれかに記載の携帯式使い捨て酸素吸入器。
【請求項６】
気体導通部には、気体吐出口から吐出する気体に擬似的な紙巻たばこの風味を付ける香料体を塗布する
ことを特徴とする請求項１ないし５のいずれかに記載の携帯式使い捨て酸素吸入器。
【発明の詳細な説明】
【０００１】
【発明の属する技術分野】
本発明は、携帯可能な使い捨ての酸素吸入器に関する。
【０００２】
【従来の技術】
従来、健康増進や疲労回復や気分転換のために、酸素濃度の高い空気を吸入することが行われている。そして、酸素濃度の高い空気を吸入するため、所定濃度の活性酸素を充填した気体供給部の上部にバネで自動閉塞する開閉弁に連結したキャップと前記開閉弁に通じるノズルを形成するとともに、前記キャップと前記ノズルを覆う上蓋を設けた吸入器本体と、前記ノズルの先端に中途に逆止弁を有する圧縮ポンプを設け他端部は使用者の口蓋を備えた口中に挿入する先端部からなるフレキシブル管とを連結してなる携帯用酸素吸入器が知られている（たとえば、特許文献１参照）。
【０００３】
一方、近年、たばこや葉巻などに含まれるニコチンやタールなどの成分が喫煙者の健康に重大な弊害をもたらす恐れがあることが社会的な問題となり、それまで喫煙習慣のあった者が恒久的に喫煙を絶つケースが増加している。また、近年は、たとえばオフィスや駅のプラットホームや航空機の機内などの公共施設や公共的な場所が喫煙禁止にされるケースが増大し、そのため、喫煙習慣のある者がこれらの公共的な場所において一時的に喫煙を絶つことを強いられる場合も多い。そして、喫煙習慣のある者が恒久的または一時的に喫煙を絶つときに受ける種々の苦痛を緩和するために、紙巻たばこなど各種たばこの形状をした器具が、いわゆる禁煙補助器具のような形で多く提供されている（たとえば、特許文献２参照）。
【０００４】
【特許文献１】
実用新案登録第第３０５６３８２号公報
【０００５】
【特許文献２】
特開第２００２−０７８４７６号公報
【０００６】
【発明が解決しようとする課題】
しかし、前記特許文献１に記載した方法によれば、酸素吸入器の吸入器本体は携帯が可能な大きさではあるが、衣服のポケットに入れて持ち歩くのに不自由を感じないほどに小型化されたものではない。また、吸入器本体や、吸入器本体に連結され先端部を使用者の口中に挿入して用いるフレキシブル管は人目を引くため、屋外や公共施設など周囲に不特定多数の人が居る場所に酸素吸入器を携帯して使用すれば、酸素吸入器の使用者が周囲の者からの好奇の目にさらされることになり、屋外や公共施設などの場所においてこの酸素吸入器を気軽に用いて高濃度酸素を吸入することは事実上困難であった。
【０００７】
また、前記特許文献２に記載した方法によれば、禁煙補助器具は単に使用者の喫煙習慣を絶つ目的でのみ作られたものであり、使用者の健康を積極的に増進させるための構造は有していなかった。
【０００８】
本発明は上述のような事情よりなされたものであり、本発明の目的は、るとともに屋外や公共施設など周囲に不特定多数の人間が居る場所においても好奇の目にさらされることなく使用でき、かつ、喫煙習慣のある者が恒久的または一時的に喫煙を絶つときに受ける精神的苦痛を緩和できる酸素吸入器を提供することにある。
【０００９】
【課題を解決するための手段】
本発明の請求項１記載の携帯式使い捨て酸素吸入器は、吸入器本体は、少なくとも基端部に開口部を形成しこの基端部の開口部を略円形の気体吐出口に形成する略円筒形の管部と、この管部の内部に設けられた気体供給部と、前記管部の内部において前記気体吐出口と前記気体供給部とを連通する気体導通部とを有し、前記吸入器本体は、紙巻たばこ、または葉巻、または喫煙パイプのいずれかと略等しい大きさに形成するものである。
【００１０】
そして、吸入器本体を紙巻たばこ、または葉巻、または喫煙パイプのいずれかと略等しい大きさに形成したことにより、酸素吸入器を衣服のポケットなどに入れることが可能になって携帯が容易になる。
【００１１】
さらに、酸素吸入器を使い捨て式としたことにより、使用者は使用後の酸素吸入器を携帯し続けるような取り扱いの煩雑さから開放される。
【００１２】
請求項２記載の携帯式使い捨て酸素吸入器は、請求項１記載の携帯式使い捨て酸素吸入器において、気体供給部は、大気中の空気よりも酸素濃度の高い高濃度酸素含有空気を充填するボンベ式の貯蔵部を有するものである。
【００１３】
そして、気体供給部をボンベ式としたことにより、外部からの衝撃や負荷に対する耐性が高い気体供給部を形成することが可能になる。
【００１４】
また、ボンベ式の貯蔵部には、酸素吸入器の使用者が吸入する酸素濃度や気体組成そのままの高濃度酸素含有空気を充填することが可能になる。
【００１５】
本発明の請求項３記載の携帯式使い捨て酸素吸入器は、請求項１記載の携帯式使い捨て酸素吸入器において、気体供給部は、袋状の貯蔵部を有するとともにこの貯蔵部の内部に水密かつ気密の隔壁を設けこの隔壁によって離隔した前記貯蔵部の内部を複数の充填室に形成し、この充填室には相互に接触することによって化学反応を起こして酸素を発生する複数のガス発生手段をそれぞれ充填するものである。
【００１６】
そして、貯蔵部に充填したガス発生手段の化学反応によって酸素を発生することにより、気体供給部を簡易な構造に形成することが可能になる。また、酸素発生手段は貯蔵部に形成された水密かつ気密の充填室にそれぞれ離隔して充填されているので、酸素発生手段同士が使用時以外のときに化学反応を起こすことを防止できる。
【００１７】
本発明の請求項４記載の携帯式使い捨て酸素吸入器は、請求項３記載の携帯式使い捨て酸素吸入器において、二つの充填室を形成し、ガス発生手段は、二酸化マンガンと過酸化水素水とによって形成することを特徴とするものである。
【００１８】
そして、低コストで取扱い上の危険が比較的少ない二酸化マンガンと過酸化水素水によって酸素を発生させることにより、酸素発生手段の低コスト化をはかることが可能になる。
【００１９】
本発明の請求項５記載の携帯式使い捨て酸素吸入器は、請求項１ないし４のいずれかに記載の携帯式使い捨て酸素吸入器において、吸入器本体は、紙巻たばこと略等しいの大きさの略円筒形であって紙巻たばこと略等しい外観を呈し、または、葉巻と略等しい大きさの略葉巻形であって葉巻と略等しい外観を呈し、または、喫煙パイプと略等しい大きさであって前記管部の先端部に略円筒形の把持部を軸方向を前記管部の軸方向と直交させて設けた喫煙パイプと略等しい外観を呈するものである。
【００２０】
そして、吸入器本体の形状が紙巻たばこまたは葉巻または喫煙パイプと略等しい大きさであるため酸素吸入器を衣服のポケットなどに収容することが可能になる。また、吸入器本体の外観が略同一の外観に形成されていることにより、周囲に不特定多数の人が居る場所においても周囲の好奇の目にさらされることなく酸素吸入器を使用することができる。また、紙巻たばこまたは葉巻または喫煙パイプと略等しい外観を呈するため、酸素吸入器の使用者に疑似的な喫煙感覚を持たせることができる。
【００２１】
請求項６記載の携帯式使い捨て酸素吸入器は、請求項１ないし５のいずれかに記載の携帯式使い捨て酸素吸入器において、気体導通部には、気体吐出口から吐出する気体に擬似的な紙巻たばこの風味を付ける香料体を塗布するものである。
【００２２】
そして、気体導通部を通過する気体はこの気体導通部に塗布された香料体によって擬似的な紙巻たばこの風味が付いた状態で気体吐出口から吐出されるので、使用者に高度な疑似性を有する擬似的喫煙感覚を持たせることができる。
【００２３】
【発明の実施の形態】
以下、本発明の実施の形態を図面を参照して説明する。
【００２４】
図１において、使い捨て酸素吸入器としての吸入器本体１は、紙巻たばこと略同一の大きさの略円筒形に形成された管部２を有する。この管部２は、一般の紙巻たばこの巻紙とほぼ同質の紙など、紙巻たばこと略同一の外観と質感を有する材料によって形成される。そして、前記管部２の基端部には開口部３が形成され、この開口部３は気体吐出口４に形成される。
【００２５】
また、前記管部２の内部には気体供給部５が設けられている。この気体供給部５はアルミニウムまたはスチールなどの材料により形成され、缶状に形成された貯蔵部６を有する。この貯蔵部６はボンベ式であって内部に後述する高濃度酸素含有空気７を充填する。そして、前記貯蔵部６の側面部には略円筒形のノズル８が軸方向に進退可能に設けられている。このノズル８は先端面に気体噴出口９が開口形成されている。そして、前記ノズル８の先端部にはキャップ１０が嵌合し、このキャップ１０は前記気体吐出口４方向に開口形成された噴出孔１１を有し、この噴出孔１１は前記キャップ１０の内部において気体噴出口９に連通する。
【００２６】
また、前記貯蔵部６には高濃度酸素含有空気７が高圧状態で充填されている。この高濃度酸素含有空気７は、一般に大気中の酸素濃度とされる約２１パーセントよりも高い濃度の酸素が含まれているが、この酸素濃度は、吸引者が爽快感を感じ、かつ過酸素状態などの呼吸障害を起こさない程度の濃度、たとえば約３０パーセント程度であることが望ましい。また、前記高濃度酸素含有空気７における酸素以外の気体成分は、大気と同様の窒素、二酸化炭素、アルゴンなどの気体によって、大気中におけるこれらの気体の組成比率とほぼ同様の比率に構成する。
【００２７】
そして、前記管部２の内部においては、前記気体吐出口４と前記気体供給部５とを連通する気体導通部１２が設けられている。この気体導通部１２は紙巻たばこのフィルタとほぼ同質の通気性がよく柔軟性の高い材質たとえばセルロースアセテート繊維束やクレープ状に加工した木材パルプシートや再生セルロース繊維束などによって形成する。また、この気体導通部１２には、香料体１３が塗布されている。この香料体１３は擬似的なたばこの風味を有し、人間の嗅覚にたばこと同様のにおいを感じさせる各種天然物質または化学合成などの人工的な方法によって製造した物質によって形成されている。
【００２８】
また、この吸入器本体１は、本物の紙巻たばこと同様の収容機材を用いて本物の紙巻たばこと同様に収容する。たとえば、図２に示すように、２０本程度の吸入器本体１をまとめて紙製の収容箱１４などに収容する。この収容箱１４は、紙巻たばこの化粧箱に近似した大きさに形成し、外観も紙巻たばこの化粧箱のようなデザインに装飾することが望ましい。
【００２９】
次に、この実施の形態の作用について説明する。
【００３０】
吸入器本体１は、たとえば本物の紙巻たばこと同様に収容箱１４に収容されて販売され、または提供される。この収容箱１４は本物の紙巻たばこの化粧箱に近似した大きさと外観を有しているため、吸入器本体１の使用者は、吸入器本体１を収容した収容箱１４を本物の紙巻たばこと同様に衣服のポケットなどに収納して携帯でき、また、屋外や公共施設など不特定多数の人が居る場所にこの収容箱１４を携帯しても周囲の好奇の目にさらされることがない。
【００３１】
そして、吸入器本体１の使用者は、吸入器本体１を使用するとき、収容箱１４に収容された吸入器本体１を１本ずつ取り出して、気体吐出口４を口にくわえた状態で使用する。この吸入器本体１は本物の紙巻たばこと略等しい大きさに形成されているため、使用者は吸入器本体１を本物の紙巻たばこと同様に衣服のポケットなどに入れて簡易に携帯することができる。また、吸入器本体１は本物の紙巻たばこと略等しい外観を呈し、気体吐出口４を口にくわえた状態が本物の紙巻たばこのフィルタ部分を口にくわえた状態に近似するため、吸入器本体１の使用者に疑似的な喫煙感覚を持たせることができる。
【００３２】
また、吸入器本体１の使用者は、吸入器本体１の管部２を把持した状態でこの管部２の側方からキャップ１０を押圧すると、ノズル８が軸方向に押し込まれ、気体供給部５のボンベ式の貯蔵部６に充填された高濃度酸素含有空気７がノズル８の気体噴出口９から噴出し、キャップ１０の噴出孔１１から気体吐出口４方向に噴出される。そして、噴出孔１１から噴出した高濃度酸素含有空気７は、気体導通部１２を通過して気体吐出口４から吐出され、吸入器本体１の使用者の口内に噴出される。そして、気体供給部５をボンベ式とし、化学反応などによらず酸素を発生させる機構としたことにより、気体供給部５を外部からの衝撃や負荷に対する耐性が高いものに形成することができる。
【００３３】
また、ボンベ式の貯蔵部６には、吸入器本体１の使用者が吸入する酸素濃度や気体組成そのままの高濃度酸素含有空気に充填することが可能になる。
【００３４】
また、貯蔵部６に高濃度酸素含有空気７を充填したことにより、吸入器本体１としての酸素吸入器の本来の目的である、使用者の健康増進や疲労回復や気分転換を確実に図ることができる。
【００３５】
さらに、吸入器本体１を使い捨て式としたことにより、使用者は吸入器本体１を使用した後に使用済みの吸入器本体１を携帯し続けねばならない煩雑さから開放される。
【００３６】
また、使用済の吸入器本体１は、塵芥として廃棄される。そして、吸入器本体１を使い捨て式としたことにより、この吸入器本体１の使用者は、使用後の吸入器本体１を携帯し続けるような取り扱いの煩雑さからも開放される。
【００３７】
なお、この実施の形態においては、ノズル８を貯蔵部６の側面部に設け、キャップ１０を管部２の側方から押圧して高濃度酸素含有空気７を気体吐出口４から吐出させたが、これに限定されるものではなく、管部２を側面外方から押圧してボンベ式の貯蔵部６に充填された高濃度酸素含有空気７を気体吐出口４から吐出させることができる各種の方法によって実施することができる。さらに、本実施の形態ではノズル８の気体噴出口９を管部２の径方向に向けるとともに前記管部２の軸方向に進退自在に配設したが、これに限定されるものではなく、ノズル８の気体噴出口９を管部２の軸方向に向け前記管部２の軸方向に進退自在に配設することもできる。この場合、吸入器本体１にはノズル８または管部２のいずれかを軸方向に押圧して気体噴出口９から高濃度酸素含有空気７を噴出させるための種々の機構が設けられる。
【００３８】
次に、本発明の他の実施の形態について図面を参照して説明する。
【００３９】
図３において、吸入器本体１５は、紙巻たばこと略同一の大きさの略円筒形に形成された管部１６を有する。この管部１６は、一般の紙巻たばこの巻紙とほぼ同質の紙など、紙巻たばこと略同一の外観と質感を有する材料によって形成される。
【００４０】
そして、前記管部１６の内部には気体供給部１７が設けられている。この気体供給部１７は貯蔵部１８を有する。この貯蔵部１８は、気体および液体を通過させない材質の柔軟性を有する密封袋体はポリエチレン樹脂や、ポリプロピレン樹脂や、塩化ビニル樹脂など、水密かつ気密であり薄膜状に形成可能な素材によって袋状に形成されている。そして、前記貯蔵部１８の内部には前記貯蔵部１８と同じ材質によって薄膜状の隔壁１９が形成されている。この隔壁１９は前記貯蔵部１８の内壁に接合して前記貯蔵部１８の内部を水密かつ気密に離隔し、それぞれ第１の充填室２１と第２の充填室２２とに形成される。また、前記隔壁１９において前記貯蔵部１８の内部との接合部分の一部または全部は破断部２０に形成されている。この破断部２０は、前記貯蔵部１８の内部と前記隔壁１９の接合部分とを、前記第１の充填室２１と前記第２の充填室２２とのうちいずれか一方を外部から加圧することで剥離する程度の強度に加圧加熱し簡易溶着させて形成する。さらに、前記第１の充填室２１にはガス発生手段としての二酸化マンガン２３が充填され、また、前記第２の充填室２２にはガス発生手段としての過酸化水素水２４が充填される。そして、前記第１の充填室２１には、略円筒形のノズル２５が形成され、このノズル２５の先端部は略円形に開口して気体噴出口２６を形成し、前記ノズル２５の基端部には、通気性シート体２７が貼着されている。この通気性シート体２７は、たとえばポリプロピレン樹脂やフッソ系樹脂など撥水性を有する樹脂からなる通気性膜を主材に形成し、気体を透過するが液体は透過しない性質を有する。
【００４１】
そして、前記管部１６の内部においては、前記管部１６の基端部に形成された気体吐出口４と前記気体供給部１７とを連通する気体導通部２８が設けられている。この気体導通部２８は紙巻たばこのフィルタとほぼ同質の通気性がよく柔軟性が高い材質たとえばセルロースやアセテートなどを主成分として形成した繊維材を用い、前記吸入器本体１５の使用者が前記気体吐出口４を口にくわえて吸引した際に、この使用者の口内に前記気体供給部１７から噴出する酸素と前記吸入器本体１５の周囲の空気とが混合されて送り込まれるように通気性のよい形状に形成する。なお、前記気体供給部１７から酸素が噴出した状態で前記吸入器本体１５の使用者が前記気体吐出口４を口にくわえて吸引した際にこの使用者の口内に送り込まれる空気中の酸素濃度は、吸引者が爽快感を感じ、かつ過酸素状態などの呼吸障害を起こさない程度の濃度、たとえば約３０パーセント程度であることが望ましい。
【００４２】
また、その他の構成は図１に示す実施の形態と同様である。
【００４３】
次に、この実施の形態の作用について説明する。
【００４４】
吸入器本体１５においては、貯蔵部１８に充填したガス発生手段の化学反応によって酸素を発生することにより、気体供給部１７を簡易な構造に形成することが可能になる。また、吸入器本体１５の酸素発生手段は貯蔵部１８においてそれぞれ水密かつ気密に形成された第１の充填室２１と第２の充填室２２とにそれぞれ離隔して充填されているので、酸素発生手段同士が使用時以外に化学反応を起こすことを防止できる。
【００４５】
そして、吸入器本体１５の酸素発生手段は、低コストで取扱い上の危険が比較的少ない二酸化マンガンと過酸化水素水によって形成されているので、酸素発生手段の低コスト化をはかることが可能になる。
【００４６】
さらに、吸入器本体１５は金属を用いないで形成することができるので、たとえば旅客機の客室のように金属の持ちこみが厳しく制限される場所であっても吸入器本体１５を支障なく携帯することが可能になる。
【００４７】
そして、吸入器本体１５の使用者は、吸入器本体１５を使用するときは、吸入器本体１５の管部１６の外周部を指で押圧して第１の充填室２１または第２の充填室２２を加圧し隔壁１９の破断部２０を破断させる。そして、破断部２０が破断すると、第１の充填室２１と第２の充填室２２との間を気体および液体が相互に透過可能になり、二酸化マンガン２３と過酸化水素水２４とが化学反応を起こして酸素の気体が発生する。
【００４８】
そして、発生した酸素は、ノズル２５の基端部に貼着された通気性シート体２７を透過し、ノズル２５の先端部に開口した気体噴出口２６から噴出し、気体導通部２８を経て気体吐出口４から外部に送り出される。そして、この吸入器本体１５の使用者が気体吐出口４を口にくわえて吸引すると、前記気体供給部１７において生成した酸素と吸入器本体１５の周囲の空気が混同されて形成された高濃度酸素含有空気が使用者の口内に送り込まれるので、吸入器本体１５の使用者の健康増進や疲労回復や気分転換を確実に図ることができる。また、その他の作用は図１に示す実施例の作用と同じである。
【００４９】
なお、この実施の形態において、貯蔵部１８および隔壁１９はポリエチレン樹脂や、ポリプロピレン樹脂や、塩化ビニル樹脂などによって形成したが、これに限定されるものではなく、水密かつ気密であり薄膜状に形成可能な各種の素材によって形成することができる。
【００５０】
そして、この実施の形態において、第１の充填室２１と第２の充填室２２との間を液体および気体を相互に透過可能とするために、管部１６の内部と隔壁１９との接合部分の一部または全部を破断部２０に形成したが、これに限定されるものではなく、たとえば先端が尖った破断用部材を貯蔵部１８の内部において隔壁１９に近接して設け、吸入器本体１５の外部を押圧するなどによって破断用部材で隔壁１９を破断させるなど、薄膜状に形成した隔壁１９を破断させるための各種の手段を用いることができる。
【００５１】
さらに、この実施の形態において、ガス発生手段として二酸化マンガン２３と過酸化水素水２４とを用いたが、これに限定されるものではなく、相互に接触することで化学反応を起こして酸素が発生する各種の材料を用いることができる。
【００５２】
次に、本発明の他の実施の形態について図面を参照して説明する。
【００５３】
図４において、吸入器本体３１は、葉巻と略同一の大きさの、軸方向両端部から軸方向中央部に向けて径方向に膨出した略葉巻形に形成された管部３２を有する。この管部３２は、一般の葉巻と略同一の外観と質感を有する材料によって形成される。そして、前記管部３２の基端部には開口部３３が形成され、この開口部３３は気体吐出口３４に形成される。また、前記管部３２の内部には気体供給部５が設けられている。そして、この吸入器本体３１は、通常の葉巻と同様に化粧箱（図示せず）などに収容する。その他の構成は図１に示す実施の形態と同様である。
【００５４】
次に、この実施の形態の作用について説明する。
【００５５】
吸入器本体３１の使用者は、吸入器本体３１の気体吐出口３４を口にくわえた状態で使用する。この吸入器本体３１は本物の葉巻と略等しい大きさに形成されているため、使用者は吸入器本体３１を本物の葉巻と同様に収容箱（図示せず）などに収容した状態で衣服のポケットなどに入れて簡易に携帯することができる。そして、吸入器本体３１は本物の葉巻と略等しい外観を呈し、気体吐出口３４を口にくわえた状態が本物の葉巻の吸い口部分を口にくわえた状態に近似するため、吸入器本体３１の使用者に疑似的な喫煙感覚を持たせることができる。また、その他の作用は図１に示す実施の形態における作用と同じである。
【００５６】
次に、本発明の他の実施の形態について図面を参照して説明する。
【００５７】
図５において、吸入器本体３６は、葉巻と略同一の大きさの、軸方向両端部から軸方向中央部に向けて径方向に膨出した略葉巻形に形成された管部３７を有する。この管部３７は、一般の葉巻と略同一の外観と質感を有する材料によって形成される。そして、前記管部３７の基端部には開口部３８が形成され、この開口部３８は気体吐出口３９に形成される。また、前記管部３７の内部には気体供給部１７が設けられている。この気体供給部１７の貯蔵部１８の内周部には破断部２０を形成する隔壁１９が接合してこの貯蔵部１８を第１の充填室２１と第２の充填室２２とに形成する。そして、その他の構成は図３に示す実施の形態と同様である。
【００５８】
次に、この実施の形態の作用について説明する。
【００５９】
吸入器本体３６の使用者は、吸入器本体３６を使用するとき、管部３７の外周部を指で押圧して第１の充填室２１または第２の充填室２２を加圧し隔壁１９の破断部２０を破断させる。そして、破断部２０が破断すると、第１の充填室２１と第２の充填室２２との間を気体および液体が相互に透過可能になって酸素の気体が発生し、この発生した酸素は気体吐出口３９から外部に送り出される。そして、この吸入器本体３６の使用者が気体吐出口３９を口にくわえて吸引すると、高濃度酸素含有空気が使用者の口内に送り込まれるので、吸入器本体３６の使用者の健康増進や疲労回復や気分転換を確実に図ることができる。また、その他の作用は図１および図３に示す実施の形態における作用と同じである。
【００６０】
次に、本発明の他の実施の形態について図面を参照して説明する。
【００６１】
図６において、吸入器本体４１は、喫煙パイプと略同一の大きさに形成され、略円筒形の管部４２の先端部に、軸方向が前記管部４２の軸方向と直交した略円筒形の把持部４３を有し、喫煙パイプと略等しい外観を呈する。そして、この管部４２は、一般の喫煙パイプと略同一の外観と質感を有する材料によって形成される。そして、前記管部４２の基端部には開口部４４が形成され、この開口部４４は気体吐出口４５に形成される。また、前記管部４２の内部には気体供給部５が設けられている。そして、その他の構成は図１および図４に示す実施の形態と同様である。
【００６２】
次に、この実施の形態の作用について説明する。
【００６３】
吸入器本体４１の使用者は、吸入器本体４１を使用するとき、気体吐出口４５を口にくわえた状態で使用する。この吸入器本体４１は本物の喫煙パイプと略等しい大きさに形成されているため、使用者は吸入器本体４１を本物の喫煙パイプと同様に衣服のポケットなどに入れて簡易に携帯することができる。また、吸入器本体４１は本物の喫煙パイプと略等しい外観を呈し、気体吐出口４５を口にくわえた状態が本物の喫煙パイプの吸い口部分を口にくわえた状態に近似するため、吸入器本体４１の使用者に疑似的な喫煙感覚を持たせることができる。また、その他の作用は図１および図４に示す実施の形態における作用と同じである。
【００６４】
なお、この実施の形態においては、吸入器本体４１の管部４２の内部に気体供給部５を設けたが、これに限定されるものではなく、前記気体供給部５を前記吸入器本体４１の前記把持部４３の内部に設け、前記気体供給部５と気体吐出口４５とを前記管部４２にて連通する構成とすることもできる。
【００６５】
次に、本発明の他の実施の形態について図面を参照して説明する。
【００６６】
図７において、吸入器本体４６は、喫煙パイプと略同一の大きさに形成され、略円筒形の管部４７の先端部に、軸方向が前記管部４７の軸方向と直交した略円筒形の把持部４８を有し、喫煙パイプと略等しい外観を呈する。この管部４７および把持部４８は、一般の喫煙パイプと略同一の外観と質感を有するとともに径方向への加圧によって若干の柔軟性を有する材料たとえば合成樹脂などによって形成される。そして、前記管部４７の基端部には開口部４９が形成され、この開口部４９は気体吐出口５０に形成される。また、前記管部４７の内部には気体供給部１７が設けられている。この気体供給部１７の貯蔵部１８の内周部には破断部２０を形成する隔壁１９が接合してこの貯蔵部１８を第１の充填室２１と第２の充填室２２とに形成する。そして、その他の構成は図３および図５に示す実施の形態と同様である。
【００６７】
次に、この実施の形態の作用について説明する。
【００６８】
吸入器本体４６の使用者は、吸入器本体４６を使用するときは、吸入器本体４６の管部４７の外周部を指で押圧して第１の充填室２１または第２の充填室２２を加圧し隔壁１９の破断部２０を破断させる。そして、破断部２０が破断すると、第１の充填室２１と第２の充填室２２との間を気体および液体が相互に透過可能になって酸素の気体が発生し、この発生した酸素は気体吐出口５０から外部に送り出される。そして、この吸入器本体４６の使用者が気体吐出口５０を口にくわえて吸引すると、高濃度酸素含有空気が使用者の口内に送り込まれるので、吸入器本体４６の使用者の健康増進や疲労回復や気分転換を確実に図ることができる。また、その他の作用は図３および図５に示す実施の形態における作用と同じである。
【００６９】
なお、この実施の形態においては、吸入器本体４６の管部４７の内部に気体供給部１７を設けたが、これに限定されるものではなく、前記気体供給部１７を前記吸入器本体４６の前記把持部４８の内部に設け、前記気体供給部１７と気体吐出口５０とを前記管部４７にて連通する構成とすることもできる。
【００７０】
【発明の効果】
本発明の請求項１記載の発明によれば、吸入器本体を紙巻たばこ、または葉巻、または喫煙パイプのいずれかと略等しい大きさに形成したことにより、酸素吸入器を衣服のポケットなどに収容することが可能になって携帯が容易になり、酸素吸入器の使用者が自宅以外の場所に酸素吸入器を携帯し使用することを促進する。
【００７１】
また、酸素吸入器を使い捨て式としたことにより、使用者は使用後の酸素吸入器を携帯し続ける取り扱いの煩雑さから開放され、酸素吸入器を屋外や公共施設などにおいても手軽に取り扱うことができるため、酸素吸入器の使用者が自宅以外の場所に酸素吸入器を携帯し使用することが一層促進される。
【００７２】
本発明の請求項２記載の発明によれば、気体供給部をボンベ式としたことにより、外部からの衝撃や負荷に対する耐性が高い気体供給部を形成することが可能になり、安全性の高い酸素吸入器を提供することができる。
【００７３】
また、ボンベ式の貯蔵部には酸素吸入器の使用者が吸入する酸素濃度や気体組成そのままの高濃度酸素含有空気を貯蔵部に充填することが可能になり、酸素吸入器の使用者が使用時に吸入する酸素の濃度や空気の品質を酸素吸入器の製造者が確実に管理することができ、酸素吸入器の使用者の健康増進や疲労回復や気分転換を確実に図ることができる。
【００７４】
本発明の請求項３記載の発明によれば、貯蔵部に充填したガス発生手段の化学反応によって酸素を発生することにより、気体供給部を簡易な構造に形成することが可能になるため、酸素吸入器の構造の簡易化と低コスト化をはかることができる。また、酸素発生手段は貯蔵部に形成された水密かつ気密の充填室にそれぞれ離隔して充填されているので、酸素発生手段同士が使用時以外のときに化学反応を起こすことを防止でき、使用前に酸素吸入器の酸素が放出されてしまう事態を防ぐことができる。
【００７５】
本発明の請求項４記載の発明によれば、低コストで取扱い上の危険が比較的少ない二酸化マンガンと過酸化水素水によって酸素を発生させることにより、酸素発生手段の低コスト化をはかることが可能になり、酸素吸入器をより低コストで簡易に製造することができる。
【００７６】
本発明の請求項５記載の発明によれば、吸入器本体の形状が紙巻たばこまたは葉巻または喫煙パイプと略等しい大きさであるため酸素吸入器を衣服のポケットなどに収容することが可能になり、酸素吸入器を容易に携帯することが可能になる。また、吸入器本体の外観が略同一の外観に形成されていることにより、周囲に不特定多数の人が居る場所においても周囲の好奇の目にさらされることなく酸素吸入器を使用することができ、酸素吸入器の使用者が屋外や公共施設などに酸素吸入器を携帯して使用することを忌避する心理的要因を除去することができる。また、紙巻たばこまたは葉巻または喫煙パイプと略等しい外観を呈するため、酸素吸入器の使用者に疑似的な喫煙感覚を持たせることができ、喫煙習慣がある者が恒久的または一時的に喫煙を絶つときの口淋しさや精神的苦痛を緩和することができる。
【００７７】
本発明の請求項６記載の発明によれば、気体導通部を通過する気体はこの気体導通部に塗布された香料体によって擬似的な紙巻たばこの風味が付いた状態で気体吐出口から吐出されるので、使用者に高度な疑似性を有する擬似的喫煙感覚を持たせることができ、喫煙習慣がある者が恒久的または一時的に喫煙を絶つときの口淋しさや精神的苦痛を一層緩和させることができる。
【図面の簡単な説明】
【図１】本発明の一の実施の形態における吸入器本体を示す一部を切り欠いた斜視図である。
【図２】同上吸入器本体を収容箱に収容した状態を示す斜視図である。
【図３】本発明の他の実施の形態における吸入器本体を示す一部を切り欠いた斜視図である。
【図４】本発明の他の実施の形態における吸入器本体を示す一部を切り欠いた斜視図である。
【図５】本発明の他の実施の形態における吸入器本体を示す一部を切り欠いた斜視図である。
【図６】本発明の他の実施の形態における吸入器本体を示す一部を切り欠いた斜視図である。
【図７】本発明の他の実施の形態における吸入器本体を示す一部を切り欠いた斜視図である。
【符号の説明】
１      吸入器本体
２      管部
３      開口部
４      気体吐出口
５      気体供給部
６      貯蔵部
７      高濃度酸素含有空気
１２      気体導通部
１３      香料体
１５      吸入器本体
１６      管部
１７      気体供給部
１８      貯蔵部
２１      第１の充填室
２２      第２の充填室
２３      二酸化マンガン
２４      過酸化水素水
２８      気体導通部
３１      吸入器本体
３２      管部
３３      開口部
３４      気体吐出口
３６      吸入器本体
３７      管部
３８      開口部
３９      気体吐出口
４１      吸入器本体
４２      管部
４３      把持部
４４      開口部
４５      気体吐出口
４６      吸入器本体
４７      管部
４８      把持部
４９      開口部
５０      気体吐出口
【図１】
2004357749.tif 000003
【図２】
2004357749.tif 000004
【図３】
2004357749.tif 000005
【図４】
2004357749.tif 000006
【図５】
2004357749.tif 000007
【図６】
2004357749.tif 000008
【図７】
2004357749.tif 000009